【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
ネットワークとの安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記暗号化メカニズムをネゴシエートした後に、アイドルモードに入ることと、
前記ネットワークに送信されるべきデータを暗号化するために、前記ネゴシエートされた暗号化メカニズムを使用することと、
前記完全なＲＲＣ接続を確立することなく、前記暗号化されたデータを含むパケットを前記ＢＳに送信することと、
ここにおいて、前記パケットは、前記ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、
を備える、方法。
【請求項２】
前記ネゴシエートすることは、
コネクションレスセットアップを求める要求を送信することと、ここにおいて、前記要求は、前記ＵＥによってサポートされた１つまたは複数の暗号化メカニズムを示す、
前記サポートされた暗号化メカニズムのうちの１つを示す応答を受信することと、
を備える、請求項１に記載の方法。
【請求項３】
前記安全な接続を確立することは、トラッキングエリア更新（ＴＡＵ）またはアタッチプロシージャのうちの少なくとも１つを備える、請求項１に記載の方法。
【請求項４】
前記暗号化されたデータを含む前記パケットを送信するためのリソースを求める要求を前記ＢＳに送信すること、
をさらに備える、請求項１に記載の方法。
【請求項５】
前記完全なＲＲＣ接続を確立することは、前記ＵＥと前記ネットワークとの間に少なくとも１つのデータ無線ベアラを確立することを備える、請求項１に記載の方法。
【請求項６】
前記パケットを送信した後に、前記ＢＳが前記暗号化されたデータを成功裏に復号したことを確認応答するメッセージを受信することをさらに備える、請求項１に記載の方法。
【請求項７】
前記メッセージは、ページングメッセージを備え、前記ページングメッセージの送信は、前記ＢＳが前記暗号化されたデータを成功裏に復号したという確認応答を示す、請求項６に記載の方法。
【請求項８】
前記メッセージは、前記ＵＥが前記ネットワークを認証するためのメカニズムを備え、前記メカニズムは、媒体アクセス制御（ＭＡＣ）アドレスまたはショートＭＡＣアドレスのうちの少なくとも１つを備える、請求項６に記載の方法。
【請求項９】
前記パケットを送信した後に、
前記ＢＳが前記暗号化されたデータを成功裏に復号したという確認応答（ＡＣＫ）を前記ＵＥが受信していないと決定することと、
前記決定に応じて前記パケットを再送することと、
をさらに備える、請求項１に記載の方法。
【請求項１０】
ワイヤレス通信のための装置であって、
ネットワークとの安全な接続を確立するための手段と、
完全な無線リソース制御（ＲＲＣ）接続を確立することなく、ＵＥがデータを送信するのに使用するための暗号化メカニズムを、前記安全な接続を介してネゴシエートするための手段と、
前記暗号化メカニズムをネゴシエートした後に、アイドルモードに入るための手段と、
前記ネットワークに送信されるべきデータを暗号化するために、前記ネゴシエートされた暗号化メカニズムを使用するための手段と、
前記完全なＲＲＣ接続を確立することなく、前記暗号化されたデータを含むパケットをＢＳに送信するための手段と、ここにおいて、前記パケットは、前記ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、
を備える、装置。
【請求項１１】
基地局（ＢＳ）による、ネットワークにおけるワイヤレス通信のための方法であって、
完全な無線リソース制御（ＲＲＣ）接続を確立していないユーザ機器（ＵＥ）から、暗号化されたデータを備えるパケットを受信することと、ここにおいて、前記パケットは、前記ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、
前記ＵＥの認証を行うためにネットワークエンティティと通信することと、ここにおいて、前記ＵＥの認証を行うために前記ネットワークエンティティと通信することは、前記メカニズムを前記ネットワークエンティティに提供することを備える、
前記ネットワークエンティティが前記ＵＥを認証した後に、前記暗号化されたデータを復号するための復号情報を、前記ネットワークエンティティから受信することと、
前記暗号化されたデータを復号するために、前記復号情報を使用することと、
を備える、方法。
【請求項１２】
ワイヤレス通信のための装置であって、
完全な無線リソース制御（ＲＲＣ）接続を確立していないユーザ機器（ＵＥ）から、暗号化されたデータを備えるパケットを受信するための手段と、ここにおいて、前記パケットは、ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、
前記ＵＥの認証を行うためにネットワークエンティティと通信するための手段と、ここにおいて、前記ＵＥの認証を行うために前記ネットワークエンティティと通信することは、前記メカニズムを前記ネットワークエンティティに提供することを備える、
前記ネットワークエンティティが前記ＵＥを認証した後に、前記暗号化されたデータを復号するための復号情報を、前記ネットワークエンティティから受信するための手段と、
前記暗号化されたデータを復号するために、前記復号情報を使用するための手段と、
を備える、装置。
【請求項１３】
ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
前記ＵＥを認証した後に、前記暗号化されたデータを復号するための復号情報を前記ＢＳに提供することと、
前記復号情報を使用して復号されたデータを前記ＢＳから受信することと、
を備える、方法。
【請求項１４】
ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
前記暗号化されたデータを前記ＢＳから受信することと、
前記暗号化されたデータを復号するために復号情報を使用することと、
を備える、方法。
【請求項１５】
請求項１乃至９、または１１、または１３、または１４のうちの１つの方法のすべてのステップをインプリメントするようにコンピュータ実行可能であるプログラム命令を備える、コンピュータプログラム。
【手続補正２】
【補正対象書類名】明細書
【補正対象項目名】００９８
【補正方法】変更
【補正の内容】
【００９８】
[00106]  前述の内容は本開示の態様を対象としているが、本開示の他の態様およびさらなる態様が、その基本的な範囲から逸脱せずに考案されることができ、その範囲は、下記の特許請求の範囲によって決定される。
以下に本願の出願当初の特許請求の範囲に記載された発明を付記する。
［Ｃ１］ユーザ機器（ＵＥ）によるワイヤレス通信のための方法であって、
ネットワークとの安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記暗号化メカニズムをネゴシエートした後に、アイドルモードに入ることと、
前記ネットワークに送信されるべきデータを暗号化するために、前記ネゴシエートされた暗号化メカニズムを使用することと、
前記完全なＲＲＣ接続を確立することなく、前記暗号化されたデータを含むパケットを前記ＢＳに送信することと、
を備える、方法。
［Ｃ２］前記ネゴシエートすることは、
コネクションレスセットアップを求める要求を送信することと、ここにおいて、前記要求は、前記ＵＥによってサポートされた１つまたは複数の暗号化メカニズムを示す、
前記サポートされた暗号化メカニズムのうちの１つを示す応答を受信することと、
を備える、Ｃ１に記載の方法。
［Ｃ３］前記安全な接続を確立することは、トラッキングエリア更新（ＴＡＵ）またはアタッチプロシージャのうちの少なくとも１つを備える、Ｃ１に記載の方法。
［Ｃ４］前記暗号化されたデータを含む前記パケットを送信するためのリソースを求める要求を前記ＢＳに送信すること、
をさらに備える、Ｃ１に記載の方法。
［Ｃ５］前記パケットは、前記ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、Ｃ１に記載の方法。
［Ｃ６］前記完全なＲＲＣ接続を確立することは、前記ＵＥと前記ネットワークとの間に少なくとも１つのデータ無線ベアラを確立することを備える、Ｃ１に記載の方法。
［Ｃ７］前記パケットを送信した後に、前記ＢＳが前記暗号化されたデータを成功裏に復号したことを確認応答するメッセージを受信することをさらに備える、Ｃ１に記載の方法。
［Ｃ８］前記メッセージは、ページングメッセージを備える、Ｃ７に記載の方法。
［Ｃ９］前記ページングメッセージの送信は、前記ＢＳが前記暗号化されたデータを成功裏に復号したという確認応答を示す、Ｃ８に記載の方法。
［Ｃ１０］前記メッセージは、前記ＵＥが前記ネットワークを認証するためのメカニズムを備える、Ｃ７に記載の方法。
［Ｃ１１］前記メカニズムは、媒体アクセス制御（ＭＡＣ）アドレスまたはショートＭＡＣアドレスのうちの少なくとも１つを備える、Ｃ１０に記載の方法。
［Ｃ１２］前記パケットを送信した後に、
前記ＢＳが前記暗号化されたデータを成功裏に復号したという確認応答（ＡＣＫ）を前記ＵＥが受信していないと決定することと、
前記決定に応じて前記パケットを再送することと、
をさらに備える、Ｃ１に記載の方法。
［Ｃ１３］基地局（ＢＳ）による、ネットワークにおけるワイヤレス通信のための方法であって、
完全な無線リソース制御（ＲＲＣ）接続を確立していないユーザ機器（ＵＥ）から、暗号化されたデータを備えるパケットを受信することと、
前記ＵＥの認証を行うためにネットワークエンティティと通信することと、
前記ネットワークエンティティが前記ＵＥを認証した後に、前記暗号化されたデータを復号するための復号情報を、前記ネットワークエンティティから受信することと、
前記暗号化されたデータを復号するために、前記復号情報を使用することと、
を備える、方法。
［Ｃ１４］前記パケットは、前記ネットワークが前記ＵＥを認証するためのメカニズムをさらに備え、
前記ＵＥの認証を行うために前記ネットワークエンティティと通信することは、前記メカニズムを前記ネットワークエンティティに提供することを備える、
Ｃ１３に記載の方法。
［Ｃ１５］前記メカニズムは、媒体アクセス制御（ＭＡＣ）アドレスまたはショートＭＡＣアドレスのうちの少なくとも１つを備える、Ｃ１４に記載の方法。
［Ｃ１６］前記暗号化されたデータを成功裏に復号した後に、前記ＢＳが前記暗号化されたデータを成功裏に復号したことを確認応答するメッセージを前記ＵＥに送ることをさらに備える、Ｃ１３に記載の方法。
［Ｃ１７］前記メッセージは、ページングメッセージを備える、Ｃ１６に記載の方法。
［Ｃ１８］前記ページングメッセージの送信は、前記ＢＳが前記暗号化されたデータを成功裏に復号したという確認応答を示す、Ｃ１７に記載の方法。
［Ｃ１９］前記メッセージは、前記ＵＥが前記ネットワークを認証するためのメカニズムを備え、前記メカニズムは、媒体アクセス制御（ＭＡＣ）アドレスまたはショートＭＡＣアドレスのうちの少なくとも１つを備える、Ｃ１６に記載の方法。
［Ｃ２０］前記完全なＲＲＣ接続の前記確立は、前記ＵＥと前記ネットワークエンティティとの間の少なくとも１つのデータ無線ベアラの確立を備える、Ｃ１３に記載の方法。
［Ｃ２１］ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記ＵＥを認証した後に、前記暗号化されたデータを復号するための復号情報を前記ＢＳに提供することと、
前記復号情報を使用して復号されたデータを前記ＢＳから受信することと、
を備える、方法。
［Ｃ２２］前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、Ｃ２１に記載の方法。
［Ｃ２３］前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
をさらに備える、Ｃ２１に記載の方法。
［Ｃ２４］前記完全なＲＲＣ接続を確立することは、前記ＵＥと前記ネットワークエンティティとの間に少なくとも１つのデータ無線ベアラを確立することを備える、Ｃ２１に記載の方法。
［Ｃ２５］前記ＵＥを認証した後に、前記ＵＥが前記ネットワークを認証するための少なくとも１つのメカニズムを前記ＢＳに提供することをさらに備え、前記少なくとも１つのメカニズムは、媒体アクセス制御（ＭＡＣ）アドレスまたはショートＭＡＣアドレスのうちの少なくとも１つを備える、Ｃ２１に記載の方法。
［Ｃ２６］ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記暗号化されたデータを前記ＢＳから受信することと、
前記暗号化されたデータを復号するために復号情報を使用することと、
を備える、方法。
［Ｃ２７］前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、Ｃ２６に記載の方法。
［Ｃ２８］前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
をさらに備える、Ｃ２６に記載の方法。
［Ｃ２９］前記完全なＲＲＣ接続を確立することは、前記ＵＥと前記ネットワークエンティティとの間に少なくとも１つのデータ無線ベアラを確立することを備える、Ｃ２６に記載の方法。
［Ｃ３０］前記ＵＥを認証した後に、前記ＵＥが前記ネットワークを認証するための少なくとも１つのメカニズムを前記ＢＳに提供することをさらに備え、前記少なくとも１つのメカニズムは、媒体アクセス制御（ＭＡＣ）アドレスまたはショートＭＡＣアドレスのうちの少なくとも１つを備える、Ｃ２６に記載の方法。